(57)【要約】      （修正有）【課題】小さな力ですり大根やスライス、千切りができる大根おろし器を提供する。【解決手段】大根おろし器の片方の側部が通る1つの溝の片方の側面に大根を乗せる斜面の台をつけ、斜面の台の片方の側部に大根を固定する平板を垂直につけ、反対側に大根の大きさに応じて移動して固定する平板を垂直に取り付けると大根おろし器を手前から後ろに、また、後ろから手前に動かすときに押す力や引く力も小さく、大根を握る力が小さくて良い。また、大根を動かす力は、斜面を滑らすだけの小さな力で良い。【選択図】図１
2019180429.tif 000002
【特許請求の範囲】
【請求項１】
大根おろし器の片方の側部が通る１つの溝の付いた大根おろし器。
【請求項２】
請求項１の大根おろし器の片方の側部が通る断面がＵ字形の１つの溝の付いた大根おろし器。
【請求項３】
請求項１の大根おろし器の片方の側部が通る断面が逆Ｔ字形の１つの溝の付いた大根おろし器。
【請求項４】
請求項１の大根おろし器の片方の側部が通る１つの溝の片方の側面に大根を乗せる斜面の台をつけた大根おろし器。
【請求項５】
請求項４の大根おろし器の片方の側部が通る１つの溝の片方の側面に大根を乗せる斜面の台の下部の安定板に斜面台を垂直に変動できる回転軸をつけた大根おろし器。
【請求項６】
請求項４の大根おろし器の片方の側部が通る1つの溝の片方の側面に大根を乗せる斜面の台の片方の側部に大根を固定する平板を垂直につけた大根おろし器。
【請求項７】
請求項６の大根おろし器の片方の側部が通る1つの溝の片方の側面に大根を乗せる斜面の台の片方の側部に大根を固定する平板を垂直につけた反対側に大根の大きさに応じて移動して固定する平板を垂直に取り付けた大根おろし器。
【請求項８】
請求項７の大根おろし器の片方の側部が通る1つの溝の片方の側面に大根を乗せる斜面の台の片方の側部に大根を固定する平板を垂直につけた反対側に大根の大きさに応じて移動して固定する平板を垂直に取り付けた下部に大根の移動固定板に留め具を付けた大根おろし器。
【請求項９】
請求項６の大根おろし器の片方の側部が通る1つの溝の片方の側面に大根を乗せる斜面の台の片方の側部に大根を固定する平板を垂直につけた反対側に大根の大きさに応じて移動して固定する平板を垂直に取り付けた間の大根がすりおろして薄くなった時に大根を固定する平板の上部の溝を安全押し具が斜面に沿って下部に大根を押し下げる大根おろし器。
【請求項１０】
請求項４の大根おろし器の片方の側部が通る１つの溝の片方の側面に大根を乗せる斜面の台の裏面に安全押し具の押し下げ指かけ板をつけた大根おろし器。
【請求項１１】
大根おろし器の前部後部の端には刃をつけなくて、その間に刃を多くつけ、刃を多くつけた部分を長くした大根おろし器。
【発明の詳細な説明】
【技術分野】
【０００１】
本発明は、大根おろしをつくる大根おろし器に関するものである。
【背景技術】
【０００２】
大根おろし器を手で握り片方の手で大根を握り、上下に往復運動をしている。
【発明の概要】
【発明が解決しようとする課題】
【０００３】
従来の大根おろし器は、大根を握り、大根おろし器の上部を往復運動してすり大根を作っている。これには、大根を握る力、往復運動するための大きな力が必要である。本発明は、以上の欠点を解決するためになされたものである。
【課題を解決するための手段】
【０００４】
上記の問題点を解決するために，本発明は、大根おろし器の片方の側部が通る1つの溝を付けて、この溝に大根おろし器の側部をはめ込んで往復運動して大根おろしをつくる。
【０００５】
大根おろし器の片方の側部が通る1つの溝を付けて、この溝に大根おろし器の側部をはめ込んで往復運動するときに安定して往復運動ができるように断面がＵ字形にした溝を往復運動すると動かしやすい。
【０００６】
大根おろし器の片方の側部が通る1つの溝を付けて、この溝に大根おろし器の側部をはめ込んで往復運動するときにより安定して往復運動ができるように断面が逆Ｔ字形にした溝を往復運動するとより動かしやすい。
【０００７】
大根おろし器の片方の側部が通る1つの溝の片方の側面に大根を乗せる斜面の台をつけると大根を握る力が小さく、大根おろし器の方に小さな力で押せば大根をすりおろすことができる。
【０００８】
大根おろし器の片方の側部が通る１つの溝の片方の側面に大根を乗せる斜面の台の下部に安定板を付け、大根を乗せる斜面台を垂直に変動できる回転軸をつけて大根おろし器の受け皿をつけとすりおろした大根がこの受け皿に入る。
大根おろし器の片方の側部が通る1つの溝の片方の側面に大根を乗せる斜面の台の片方の側部に大根を固定する平板を垂直につけると大根おろし器を手前に引くときに大根を固定する力がいらない。
【０００９】
大根おろし器の片方の側部が通る1つの溝の片方の側面に大根を乗せる斜面の台の片方の側部に大根を固定する平板を垂直につけた反対側に大根の大きさに応じて移動して固定する平板を垂直に取り付けた下部の通路に大根の移動固定板に留め具を付けると大根おろし器を手前から後ろに押すときに大根を握る力が小さくてよい。
【００１０】
大根おろし器の片方の側部が通る1つの溝の片方の側面に大根を乗せる斜面の台の片方の側部に大根を固定する平板を垂直につけた反対側に大根の大きさに応じて移動して固定する平板を垂直に取り付けた間の大根がすりおろして薄くなった時に安全のために大根を固定する平板の上部の溝に安全押し具が斜面に沿って下部に大根を押し下げるので安全である。
【００１１】
大根おろし器の片方の側部が通る１つの溝の片方の側面に大根を乗せる斜面の台の裏面に安全押し具の押し下げ指かけ板をつけて、人さし指から小指までかけると垂直に斜面の台をしたときに安定し、安全押し具の押し下げ板を押し下げやすくなる。
【００１２】
大根おろし器の前部後部の端には刃をつけなくて、その間に刃を多くつけ、刃を多くつけた部分を長くすると、大根おろし器を端から動かすときに小さな力で動かせるので楽である。
【発明の効果】
【００１３】
大根やニンジンなどの根菜類をすりおろしやスライス、千切りにするときに材料を大根おろし器の片方の側部が通る1つの溝の片方の側面に大根を乗せる斜面の台をつけ、斜面の台の片方の側部に大根を固定する平板を垂直につけ、反対側に大根の大きさに応じて移動して固定する平板を垂直に取り付けると大根おろし器を手前から後ろに、また、後ろから手前に動かすときに押す力や引く力も小さく、大根を握る力が小さくて良い。また、大根を動かす力は、斜面を滑らすだけで小さな力で良い。また、大根乗せ台を垂直に立てると大根おろし器の下に受け皿をつけることができる。
【図面の簡単な説明】
【００１４】
【図１】本発明の斜視図である。
【図２】本発明のおろし器の通路の断面が逆Ｔ字形の側面図である。
【図３】本発明の側面図である。
【図４】本発明の安全押し具の正面図である。
【図５】大根固定板の正面図である。
【発明を実施するための形態】
【００１５】
大根おろし器の片方の側部が通る図１の２の1つの溝を付けて、この溝に大根おろし器の側部をはめ込んで往復運動できるようにする。
【００１６】
大根おろし器の片方の側部が通る図１の２の1つの溝を付けて、この溝に大根おろし器の側部をはめ込んで往復運動するときに安定して往復運動ができるように断面がＵ字形にした溝を付ける。
【００１７】
大根おろし器の片方の側部が通る図１の２の1つの溝を付けて、この溝に大根おろし器の側部をはめ込んで往復運動するときにより安定して往復運動ができるように図２の１２の断面が逆Ｔ字形にした溝を大根おろし器が往復運動するようにする。
【００１８】
大根おろし器の片方の側部が通る図１の２の1つの溝の片方の側面に５の大根を乗せる斜面の台をつけると大根を握る力が小さく、大根おろし器の方に小さな力で押せば大根をすりおろすことができるようにする。
【００１９】
大根おろし器の片方の側部が通る図１の２の１つの溝の片方の側面に図１の５の大根を乗せる斜面の台の下部に1の安定板を付け、大根を乗せる斜面台を垂直に変動できる１１の回転軸をつけて大根おろし器の下に受け皿をつけとすりおろした大根がこの受け皿に入る。
【００２０】
大根おろし器の片方の側部が通る図１の２の1つの溝の片方の側面に５の大根を乗せる斜面の台の片方の側部に大根を６の大根固定板を垂直につけると大根おろし器を手前に引くときに大根を固定するようにする。
【００２１】
大根おろし器の片方の側部が通る図１の２の1つの溝の片方の側面に大根を乗せる斜面の台の片方の側部に大根を６の大根固定板を垂直につけた反対側に大根の大きさに応じて４の移動固定板を垂直に取り付けた下部の通路に大根の４の移動固定板に留め具を付けると大根おろし器を手前から後ろに押すときに大根を握る力が小さくてよい。
【００２２】
大根おろし器の片方の側部が通る図１の２の1つの溝の片方の側面に５の大根を乗せる斜面の台の片方の側部に大根を６の大根固定板を垂直につけた反対側に大根の大きさに応じて移動して４の移動固定板を垂直に取り付けた間の大根がすりおろして薄くなった時に大根を６大根固定板の上部に図４の安全押し具を取り付け平板の斜面に沿って下部に大根を押し下げるようにする。
【００２３】
大根おろし器の前部後部の端には刃をつけなくて、その間に刃を多くつけ、刃を多くつけた部分を長くすると、大根おろし器を端から動かすときに小さな力で動かせるので楽である。
【実施例】
【００２４】
大根おろし器の片方の側部が通る図１の２の1つの溝の片方の側面に５の大根を乗せる斜面の台の片方の側部に大根を６の大根固定板を垂直につけた反対側に大根の大きさに応じて４の移動固定板を垂直に取り付けて大根が固定する。大根おろし器を手前と後ろへの往復運動で大根をすりおろしができる。
【００２５】
大根おろし器の片方の側部が通る図１の２の1つの溝の片方の側面に５の大根を乗せる斜面の台の片方の側部に大根を６の大根固定板を垂直につけた反対側に大根の大きさに応じて４の移動固定板を垂直に取り付けて大根が固定する。大根おろし器を手前と後ろへの往復運動で大根をすりおろしして、大根が薄くなった時に６の大根固定板の図５の上部の溝に図４の安全押し具をつけて斜面に沿って下部に大根を押し下げるようにすると安全に作業ができる。
【００２６】
大根おろし器を動かす時に最初は抵抗が大きいので大根おろし器の前部後部の端には刃をつけなくて、その間に刃を多くつけ、刃を多くつけた部分を長くすると、大根おろし器を端から動かすときに小さな力で動かせるので楽である。
【００２７】
この大根おろし器をスライサーや千切り器に変えるといろいろなものができる。
【産業上の利用可能性】
【００２８】
大根おろしを作るときに大根を握り、大根を往復させてすりおろすときに大根を握る力、押す力が大きいが、この大根おろし器は、小さな力で大根をすりおろすことができ、また、スライスや千切りもできる。受け皿をつけても使うことができる。また、一つの溝の片方に大根を乗せる斜面の台つけると重たい大根を持つこともなく、斜面をずらすだけで良い。手前に小さな力で引くことで、スライスや千切り、すり大根ができる。家庭はもちろん料理店等でも使うことができる。
【符号の説明】
【００２９】
１  安定板
２  大根おろし器の通路
３  大根の移動固定板スライド溝
４  大根の移動固定板
５  大根乗せ斜面台
６  大根固定板
７  大根乗せ斜面台の後部脚
８  安全押し具押し下げ指かけ板  
９  安全押し具スライド溝
１０  安全押し具止板
１１  安定板回転軸
１２  大根おろし器通路の断面逆Ｔ字形溝
１３  安全押し具側部押し下げ板
１４  安全押し具上部押し下げ板
１５  大根押し面
１６  安全押し具のスライド溝
１７  大根固定板のスライド溝
【図１】
2019180429.tif 000003
【図２】
2019180429.tif 000004
【図３】
2019180429.tif 000005
【図４】
2019180429.tif 000006
【図５】
2019180429.tif 000007